(57)【要約】【課題】  従来より低コストで実現されることができる点呼システムを提供する。【解決手段】  点呼を行う点呼執行者と、点呼の対象である運転者とを利用者として含んでいる点呼システムは、利用者の認証のための情報が入力される生体認証端末と、生体認証端末から入力された情報に基づいた利用者の認証の結果を取得する認証結果取得手段と、点呼の実行を管理する点呼管理手段とを備えており、点呼管理手段は、運転者が認証されたという認証の結果が認証結果取得手段によって取得された後（Ｓ１０５でＹＥＳ）、点呼執行者が認証されたという認証の結果が認証結果取得手段によって取得された場合に（Ｓ１１９でＹＥＳ）、点呼執行者による運転者に対する点呼を完了する（Ｓ１２０）ことを特徴とする。【選択図】  図４
2014006675.tif 000002
【特許請求の範囲】
【請求項１】
点呼を行う点呼執行者と、前記点呼の対象である被点呼者とを利用者として含んでいる点呼システムであって、
前記利用者の認証のための情報が入力される認証情報入力装置と、前記認証情報入力装置から入力された情報に基づいた前記利用者の認証の結果を取得する認証結果取得手段と、前記点呼の実行を管理する点呼管理手段とを備えており、
前記点呼管理手段は、前記被点呼者が認証されたという認証の結果が前記認証結果取得手段によって取得された後、前記点呼執行者が認証されたという認証の結果が前記認証結果取得手段によって取得された場合に、前記点呼執行者による前記被点呼者に対する前記点呼を完了することを特徴とする点呼システム。
【請求項２】
前記点呼に関する情報が入力される点呼情報入力装置を備えており、
前記点呼管理手段は、前記点呼執行者および前記被点呼者の特定の一方によって入力されるべき情報が前記点呼情報入力装置から入力された後、前記特定の一方が認証されたという認証の結果が前記認証結果取得手段によって取得された場合に、この情報を前記点呼の結果に含めることを特徴とする請求項１に記載の点呼システム。
【請求項３】
前記点呼情報入力装置に情報を入力している前記利用者を撮影する情報入力者撮影装置を備えており、
前記点呼管理手段は、前記点呼執行者および前記被点呼者の特定の一方によって入力されるべき情報が前記点呼情報入力装置から入力された場合に、前記情報入力者撮影装置によって撮影された前記利用者の画像を前記点呼の結果に含めることを特徴とする請求項２に記載の点呼システム。
【請求項４】
前記点呼に関する情報が入力される点呼情報入力装置と、前記点呼情報入力装置に情報を入力している前記利用者を撮影する情報入力者撮影装置とを備えており、
前記点呼管理手段は、前記点呼執行者および前記被点呼者の特定の一方によって入力されるべき情報が前記点呼情報入力装置から入力された場合に、前記情報入力者撮影装置によって撮影された前記利用者の画像を前記点呼の結果に含めることを特徴とする請求項１に記載の点呼システム。
【請求項５】
前記点呼管理手段は、前記被点呼者が認証されたという認証の結果が前記認証結果取得手段によって取得されることと、前記点呼執行者が認証されたという認証の結果が前記認証結果取得手段によって取得されることとが、この順番で前記点呼における所定の期間内に生じた場合にのみ、前記点呼執行者による前記被点呼者に対する前記点呼を完了することを特徴とする請求項１から請求項４までの何れかに記載の点呼システム。
【請求項６】
請求項１から請求項５までの何れかに記載の点呼システムの前記認証結果取得手段および前記点呼管理手段としてコンピューターを機能させることを特徴とする点呼用プログラム。
【発明の詳細な説明】
【技術分野】
【０００１】
本発明は、点呼を行う点呼執行者と、この点呼の対象である被点呼者とを利用者として含んでいる点呼システムに関する。
【背景技術】
【０００２】
従来の点呼システムとして、点呼を行う点呼執行者によって使用される点呼側装置と、この点呼の対象である被点呼者によって使用されて被点呼者の様子を音および画像の少なくとも一方で点呼側装置に送信する被点呼側装置とを備えている点呼システムが知られている（特許文献１参照。）。
【先行技術文献】
【特許文献】
【０００３】
【特許文献１】特開２０１１−２３８０６０号公報
【発明の概要】
【発明が解決しようとする課題】
【０００４】
しかしながら、従来の点呼システムにおいては、点呼側装置および被点呼側装置が必要であるので、点呼時に点呼執行者および被点呼者が同一の場所に滞在している組織にとって高コストであるという問題がある。
【０００５】
そこで、本発明は、従来より低コストで実現されることができる点呼システムを提供することを目的とする。
【課題を解決するための手段】
【０００６】
本発明の点呼システムは、点呼を行う点呼執行者と、前記点呼の対象である被点呼者とを利用者として含んでいる点呼システムであって、前記利用者の認証のための情報が入力される認証情報入力装置と、前記認証情報入力装置から入力された情報に基づいた前記利用者の認証の結果を取得する認証結果取得手段と、前記点呼の実行を管理する点呼管理手段とを備えており、前記点呼管理手段は、前記被点呼者が認証されたという認証の結果が前記認証結果取得手段によって取得された後、前記点呼執行者が認証されたという認証の結果が前記認証結果取得手段によって取得された場合に、前記点呼執行者による前記被点呼者に対する前記点呼を完了することを特徴とする。
【０００７】
この構成により、本発明の点呼システムは、点呼執行者および被点呼者に共通の認証情報入力装置を利用させるので、従来より低コストで実現されることができる。また、本発明の点呼システムは、点呼執行者による被点呼者に対する点呼を完了するために、点呼執行者および被点呼者のそれぞれの認証を必要とするので、点呼執行者および被点呼者の少なくとも一方に対する成り済ましによる不正な点呼を防止することができる。また、本発明の点呼システムは、点呼執行者による被点呼者に対する点呼を完了するために、点呼執行者および被点呼者のそれぞれの認証を必要とするので、点呼時に点呼執行者および被点呼者が同一の場所に滞在していたということを、点呼の完了という証拠によって証明することができる。
【０００８】
また、本発明の点呼システムは、前記点呼に関する情報が入力される点呼情報入力装置を備えており、前記点呼管理手段は、前記点呼執行者および前記被点呼者の特定の一方によって入力されるべき情報が前記点呼情報入力装置から入力された後、前記特定の一方が認証されたという認証の結果が前記認証結果取得手段によって取得された場合に、この情報を前記点呼の結果に含めても良い。
【０００９】
この構成により、本発明の点呼システムは、点呼に関する情報のうち点呼執行者および被点呼者の特定の一方によって入力されるべき情報を点呼の結果に含めるために、点呼執行者および被点呼者のうちこの情報を入力すべき特定の一方の認証を必要とするので、点呼執行者および被点呼者のうち適切な利用者に情報を入力させることができる。
【００１０】
また、本発明の点呼システムは、前記点呼情報入力装置に情報を入力している前記利用者を撮影する情報入力者撮影装置を備えており、前記点呼管理手段は、前記点呼執行者および前記被点呼者の特定の一方によって入力されるべき情報が前記点呼情報入力装置から入力された場合に、前記情報入力者撮影装置によって撮影された前記利用者の画像を前記点呼の結果に含めても良い。
【００１１】
この構成により、本発明の点呼システムは、点呼に関する情報のうち点呼執行者および被点呼者の特定の一方によって入力されるべき情報を入力した利用者の画像を証拠として点呼の結果に含めるので、成り済ましによる情報の不正な入力を防止することができる。したがって、本発明の点呼システムは、点呼執行者および被点呼者のうち適切な利用者に情報を入力させることの確実性を向上することができる。
【００１２】
また、本発明の点呼システムは、前記点呼に関する情報が入力される点呼情報入力装置と、前記点呼情報入力装置に情報を入力している前記利用者を撮影する情報入力者撮影装置とを備えており、前記点呼管理手段は、前記点呼執行者および前記被点呼者の特定の一方によって入力されるべき情報が前記点呼情報入力装置から入力された場合に、前記情報入力者撮影装置によって撮影された前記利用者の画像を前記点呼の結果に含めても良い。
【００１３】
この構成により、本発明の点呼システムは、点呼に関する情報のうち点呼執行者および被点呼者の特定の一方によって入力されるべき情報を入力した利用者の画像を証拠として点呼の結果に含めるので、成り済ましによる情報の不正な入力を防止することができる。
【００１４】
また、本発明の点呼システムにおいて、前記点呼管理手段は、前記被点呼者が認証されたという認証の結果が前記認証結果取得手段によって取得されることと、前記点呼執行者が認証されたという認証の結果が前記認証結果取得手段によって取得されることとが、この順番で前記点呼における所定の期間内に生じた場合にのみ、前記点呼執行者による前記被点呼者に対する前記点呼を完了しても良い。
【００１５】
この構成により、本発明の点呼システムは、点呼執行者による被点呼者に対する点呼を完了するために、被点呼者の認証と、点呼執行者の認証とが所定の期間内に実行されることを必要とするので、点呼時に点呼執行者および被点呼者が同一の場所に滞在していたということに対する、点呼の完了という証拠の証明力を向上することができる。
【００１６】
本発明の点呼用プログラムは、上述の点呼システムの前記認証結果取得手段および前記点呼管理手段としてコンピューターを機能させることを特徴とする。
【００１７】
この構成により、本発明の点呼用プログラムを実行するコンピューターは、点呼執行者および被点呼者に共通の認証情報入力装置を利用させるので、従来より低コストで実現されることができる。また、本発明の点呼用プログラムを実行するコンピューターは、点呼執行者による被点呼者に対する点呼を完了するために、点呼執行者および被点呼者のそれぞれの認証を必要とするので、点呼執行者および被点呼者の少なくとも一方に対する成り済ましによる不正な点呼を防止することができる。また、本発明の点呼用プログラムを実行するコンピューターは、点呼執行者による被点呼者に対する点呼を完了するために、点呼執行者および被点呼者のそれぞれの認証を必要とするので、点呼時に点呼執行者および被点呼者が同一の場所に滞在していたということを、点呼の完了という証拠によって証明することができる。
【発明の効果】
【００１８】
本発明の点呼システムは、従来より低コストで実現されることができる。
【図面の簡単な説明】
【００１９】
【図１】本発明の一実施の形態に係る点呼システムのブロック図である。
【図２】図１に示す共用点呼端末のブロック図である。
【図３】図１に示す生体認証端末のブロック図である。
【図４】点呼用プログラムが実行される場合の図１に示す共用点呼端末の動作のフローチャートである。
【図５】図４の続きのフローチャートである。
【図６】図２に示す点呼用プログラムが実行された場合に表示部に表示される初期画面を示す図である。
【図７】図２に示す表示部に表示される点呼画面を示す図であって、点呼結果確認ボタンが操作不可能な状態である場合の一例を示す図である。
【図８】図２に示す表示部に表示される点呼画面を示す図であって、点呼結果確認ボタンが操作可能な状態である場合の一例を示す図である。
【図９】図５に示す車番入力処理のフローチャートである。
【図１０】車番入力処理において図２に示す表示部に表示される車番入力画面の一例を示す図である。
【図１１】図５に示す乗務員ＩＤ入力処理のフローチャートである。
【図１２】乗務員ＩＤ入力処理において図２に示す表示部に表示される乗務員ＩＤ入力画面の一例を示す図である。
【図１３】図５に示すアルコール測定結果入力処理のフローチャートである。
【図１４】アルコール測定結果入力処理において図２に示す表示部に表示されるアルコール測定画面の一例を示す図である。
【図１５】図５に示す運転者健康状態入力処理のフローチャートである。
【図１６】運転者健康状態入力処理において図２に示す表示部に表示される運転者健康状態入力画面の一例を示す図である。
【図１７】図５に示す執行者ＩＤ入力処理のフローチャートである。
【図１８】執行者ＩＤ入力処理において図２に示す表示部に表示される執行者ＩＤ入力画面の一例を示す図である。
【図１９】図１３に示す例とは異なる例におけるアルコール測定結果入力処理のフローチャートである。
【図２０】アルコール測定結果入力処理において図２に示す表示部に表示されるアルコール測定結果入力画面の一例を示す図である。
【発明を実施するための形態】
【００２０】
以下、本発明の一実施の形態について、図面を用いて説明する。
【００２１】
まず、本実施の形態に係る点呼システム１０の構成について説明する。
【００２２】
図１は、本実施の形態に係る点呼システム１０のブロック図である。
【００２３】
図１に示す点呼システム１０は、点呼を行う点呼執行者と、この点呼の対象である被点呼者として、バス、タクシー、トラックなどの事業用の車両の運転者とを利用者として含んでいる。なお、バス、タクシー、トラックなどの事業用の車両の運転者に対する点呼を行う点呼執行者は、運転者と顔を合わせながら運転者が車両の運転に支障がないことを確認して記録に残すこと、すなわち、対面点呼が法的に義務付けられている。
【００２４】
点呼システム１０は、点呼執行者および運転者が勤務する営業所に設置されている。
【００２５】
点呼システム１０は、点呼執行者および運転者が共用する共用点呼端末２０と、生体認証を実行する生体認証端末３０と、運転者の呼気中のアルコールを測定するアルコール測定器４０と、利用者を撮影するためのＷｅｂカメラ５０とを備えている。
【００２６】
アルコール測定器４０は、点呼に関する情報としてのアルコール濃度が利用者によって入力されるようになっており、本発明の点呼情報入力装置を構成している。
【００２７】
Ｗｅｂカメラ５０は、点呼に関する情報を共用点呼端末２０の後述する操作部２１に入力している利用者と、点呼に関する情報としてのアルコール濃度をアルコール測定器４０に入力している利用者とを撮影するようになっており、本発明の情報入力者撮影装置を構成している。
【００２８】
なお、共用点呼端末２０、アルコール測定器４０およびＷｅｂカメラ５０は、共用点呼端末２０およびアルコール測定器４０を操作している利用者、特に、利用者の顔をＷｅｂカメラ５０が撮影可能であるように配置されている。
【００２９】
図２は、共用点呼端末２０のブロック図である。
【００３０】
図２に示す共用点呼端末２０は、ＰＣ（Ｐｅｒｓｏｎａｌ  Ｃｏｍｐｕｔｅｒ）などのコンピューターである。共用点呼端末２０は、利用者による種々の操作が入力されるマウスやキーボードなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、生体認証端末３０、アルコール測定器４０およびＷｅｂカメラ５０などの外部の装置と通信を行う通信デバイスである通信部２３と、プログラムおよび各種のデータを記憶しているＨＤＤ（Ｈａｒｄ  Ｄｉｓｋ  Ｄｒｉｖｅ）などの記憶デバイスである記憶部２４と、共用点呼端末２０全体を制御する制御部２５とを備えている。
【００３１】
操作部２１は、点呼に関する情報が利用者によって入力されるようになっており、本発明の点呼情報入力装置を構成している。なお、操作部２１の少なくとも一部は、表示部２２とともにタッチパネルを構成していても良い。
【００３２】
記憶部２４は、点呼用プログラム２４ａを記憶している。点呼用プログラム２４ａは、共用点呼端末２０の製造段階で共用点呼端末２０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体から共用点呼端末２０に追加でインストールされても良いし、ネットワーク上から共用点呼端末２０に追加でインストールされても良い。
【００３３】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行するようになっている。
【００３４】
制御部２５は、記憶部２４に記憶されている点呼用プログラム２４ａを実行することによって、後述の利用者認証手段３４ａによる利用者の認証の結果を取得する認証結果取得手段２５ａ、および、点呼の実行を管理する点呼管理手段２５ｂとして機能する。
【００３５】
図３は、生体認証端末３０のブロック図である。
【００３６】
図３に示すように、生体認証端末３０は、利用者の認証のための情報として指紋などの生体情報が入力される認証情報入力装置としての生体情報入力部３１と、共用点呼端末２０などの外部の装置と通信を行う通信デバイスである通信部３２と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部３３と、生体認証端末３０全体を制御する制御部３４とを備えている。
【００３７】
記憶部３３は、利用者の認証に使用される情報である利用者認証情報３３ａを記憶している。利用者認証情報３３ａは、利用者の生体情報と、この利用者が運転者である場合に割り当てられている乗務員ＩＤと、この利用者が点呼執行者である場合に割り当てられている執行者ＩＤとが利用者毎に関連付けられた情報である。例えば、利用者認証情報３３ａは、通信部３２を介して共用点呼端末２０から入力される。
【００３８】
制御部３４は、例えば、ＣＰＵと、プログラムおよび各種のデータを予め記憶しているＲＯＭと、ＣＰＵの作業領域として用いられるＲＡＭとを備えている。ＣＰＵは、ＲＯＭに記憶されているプログラムを実行するようになっている。
【００３９】
制御部３４は、ＲＯＭに記憶されているプログラムを実行することによって、生体情報入力部３１から入力された情報に基づいて利用者の認証を実行する利用者認証手段３４ａ、および、利用者認証手段３４ａによる認証の結果を送信する認証結果送信手段３４ｂとして機能する。
【００４０】
次に、点呼システム１０の動作について説明する。
【００４１】
図４は、点呼用プログラム２４ａが実行される場合の共用点呼端末２０の動作のフローチャートである。図５は、図４の続きのフローチャートである。
【００４２】
利用者、すなわち、点呼執行者または運転者が共用点呼端末２０の操作部２１を介して点呼用プログラム２４ａの実行を共用点呼端末２０に指示すると、共用点呼端末２０は、図４および図５に示す動作を実行する。
【００４３】
図４に示すように、共用点呼端末２０の制御部２５の点呼管理手段２５ｂは、図６に示す初期画面２００を表示部２２に表示する（Ｓ１０１）。
【００４４】
図６は、点呼用プログラム２４ａが実行された場合に表示部２２に表示される初期画面２００を示す図である。
【００４５】
図６に示すように、初期画面２００には、点呼が開始させられる場合に押される点呼開始ボタン２０１と、点呼用プログラム２４ａの実行が終了させられる場合に押される終了ボタン２０２とが含まれている。
【００４６】
図４に示すように、点呼管理手段２５ｂは、Ｓ１０１の処理の後、操作部２１を介して点呼開始ボタン２０１が押されたか否かを判断する（Ｓ１０２）。
【００４７】
点呼管理手段２５ｂは、点呼開始ボタン２０１が押されていないとＳ１０２において判断すると、終了ボタン２０２が押されたか否かを判断する（Ｓ１０３）。
【００４８】
点呼管理手段２５ｂは、終了ボタン２０２が押されたとＳ１０３において判断すると、表示部２２による初期画面２００の表示を終了して、図４および図５に示す動作を終了する。
【００４９】
一方、点呼管理手段２５ｂは、終了ボタン２０２が押されていないとＳ１０３において判断すると、再びＳ１０２の処理に戻る。
【００５０】
点呼管理手段２５ｂは、点呼開始ボタン２０１が押されたとＳ１０２において判断すると、表示部２２による初期画面２００の表示を終了して、図７に示す点呼画面２１０を表示部２２に表示する（Ｓ１０４）。ここで、点呼管理手段２５ｂは、今回の点呼に関する情報として車番が記憶部２４に仮に記憶されている場合、この車番を後述の車番表示領域２１１ａに表示する。また、点呼管理手段２５ｂは、今回の点呼に関する情報として乗務員ＩＤが記憶部２４に仮に記憶されている場合、この乗務員ＩＤを後述の乗務員ＩＤ表示領域２１２ａに表示する。また、点呼管理手段２５ｂは、今回の点呼に関する情報としてアルコール濃度が記憶部２４に仮に記憶されている場合、このアルコール濃度を後述のアルコール測定結果表示領域２１３ａに表示する。また、点呼管理手段２５ｂは、運転者の健康状態のうち睡眠に関する質問に対する回答が今回の点呼に関する情報として記憶部２４に仮に記憶されている場合、この回答を後述の睡眠表示領域２１４ａに表示する。また、点呼管理手段２５ｂは、運転者の健康状態のうち体調に関する質問に対する回答が今回の点呼に関する情報として記憶部２４に仮に記憶されている場合、この回答を後述の体調表示領域２１５ａに表示する。また、点呼管理手段２５ｂは、運転者の健康状態のうち食事に関する質問に対する回答が今回の点呼に関する情報として記憶部２４に仮に記憶されている場合、この回答を後述の食事表示領域２１６ａに表示する。
【００５１】
図７は、表示部２２に表示される点呼画面２１０を示す図であって、点呼結果確認ボタン２１８が操作不可能な状態である場合の一例を示す図である。
【００５２】
図７に示すように、点呼画面２１０には、点呼において入力される必要がある項目の１つである「車番」を表示する車番表示領域２１１ａと、「車番」が入力される場合に押される車番入力ボタン２１１ｂと、点呼において入力される必要がある項目の１つである「乗務員ＩＤ」を表示する乗務員ＩＤ表示領域２１２ａと、「乗務員ＩＤ」が入力される場合に押される乗務員ＩＤ入力ボタン２１２ｂと、点呼において入力される必要がある項目の１つである「アルコール測定結果」を表示するアルコール測定結果表示領域２１３ａと、「アルコール測定結果」が入力される場合に押されるアルコール測定結果入力ボタン２１３ｂと、点呼において入力される必要がある項目の１つである「運転者の健康状態」のうち「睡眠」の状態を表示する睡眠表示領域２１４ａと、「睡眠」の状態が入力される場合に押される睡眠入力ボタン２１４ｂと、点呼において入力される必要がある項目の１つである「運転者の健康状態」のうち「体調」の状態を表示する体調表示領域２１５ａと、「体調」の状態が入力される場合に押される体調入力ボタン２１５ｂと、点呼において入力される必要がある項目の１つである「運転者の健康状態」のうち「食事」の状態を表示する食事表示領域２１６ａと、「食事」の状態が入力される場合に押される食事入力ボタン２１６ｂと、点呼を中断するための中断ボタン２１７と、点呼執行者が点呼の結果を確認した場合に押される点呼結果確認ボタン２１８とが含まれている。図７において、点呼結果確認ボタン２１８は、操作不可能な状態になっている。
【００５３】
なお、図７中の最も左の欄は、各項目について指定されている入力者を表示している欄である。例えば、図７において、「車番」は、点呼執行者および運転者の何れによって入力されても良い項目になっている。「アルコール測定結果」および「乗務員ＩＤ」は、運転者によって入力されるべき項目になっている。「運転者の健康状態」は、点呼執行者によって入力されるべき項目になっている。
【００５４】
図４に示すように、点呼管理手段２５ｂは、Ｓ１０４の処理の後、点呼画面２１０内の全ての項目が入力されているか否かを判断する（Ｓ１０５）。
【００５５】
点呼管理手段２５ｂは、点呼画面２１０内の何れかの項目が入力されていないとＳ１０５において判断すると、図７に示すように点呼結果確認ボタン２１８を操作不可能な状態にする（Ｓ１０６）。
【００５６】
一方、点呼管理手段２５ｂは、点呼画面２１０内の全ての項目が入力されているとＳ１０５において判断すると、図８に示すように点呼結果確認ボタン２１８を操作可能な状態にする（Ｓ１０７）。図８は、表示部２２に表示される点呼画面２１０を示す図であって、点呼結果確認ボタン２１８が操作可能な状態である場合の一例を示す図である。
【００５７】
図４および図５に示すように、点呼管理手段２５ｂは、Ｓ１０６またはＳ１０７の処理の後、点呼画面２１０における中断ボタン２１７が押されたか否かを判断する（Ｓ１０８）。
【００５８】
点呼管理手段２５ｂは、中断ボタン２１７が押されたとＳ１０８において判断すると、表示部２２による点呼画面２１０の表示を終了して、再びＳ１０１に戻って表示部２２に初期画面２００を表示する。すなわち、点呼管理手段２５ｂは、今回の点呼を中断させる。
【００５９】
一方、点呼管理手段２５ｂは、中断ボタン２１７が押されていないとＳ１０８において判断すると、点呼画面２１０における車番入力ボタン２１１ｂが押されたか否かを判断する（Ｓ１０９）。
【００６０】
点呼管理手段２５ｂは、車番入力ボタン２１１ｂが押されたとＳ１０９において判断すると、表示部２２による点呼画面２１０の表示を終了して、車番を入力する処理である車番入力処理を実行する（Ｓ１１０）。
【００６１】
図９は、車番入力処理のフローチャートである。
【００６２】
図９に示すように、点呼管理手段２５ｂは、車番入力処理を開始すると、図１０に示す車番入力画面２２０を表示部２２に表示する（Ｓ１２１）。
【００６３】
図１０は、車番入力処理において表示部２２に表示される車番入力画面２２０の一例を示す図である。
【００６４】
図１０に示すように、車番入力画面２２０には、点呼画面２１０に戻る場合に押される戻るボタン２２１と、車番の入力を利用者に促すメッセージ２２２と、入力された車番を表示する入力情報表示領域２２３と、車番を入力するためのソフトウェアキーボード２２４と、入力情報表示領域２２３に表示されている車番が削除される場合に押されるクリアボタン２２５と、入力情報表示領域２２３に表示されている車番が決定される場合に押される決定ボタン２２６とが含まれている。
【００６５】
メッセージ２２２を読んだ利用者は、操作部２１を介してソフトウェアキーボード２２４から運転者が運転する車両の車番を入力し、入力した車番を決定ボタン２２６によって決定する。
【００６６】
図９に示すように、共用点呼端末２０の制御部２５の点呼管理手段２５ｂは、Ｓ１２１の処理の後、決定ボタン２２６が押されるまで、決定ボタン２２６が押されたか否かを判断する（Ｓ１２２）。
【００６７】
点呼管理手段２５ｂは、決定ボタン２２６が押されたとＳ１２２において判断すると、Ｓ１２２において決定された車番を、今回の点呼に関する情報として記憶部２４に仮に記憶させた後（Ｓ１２３）、表示部２２による車番入力画面２２０の表示を終了して、図９に示す車番入力処理を終了する。
【００６８】
なお、点呼管理手段２５ｂは、戻るボタン２２１が押された場合にも、表示部２２による車番入力画面２２０の表示を終了して、図９に示す車番入力処理を終了する。
【００６９】
図４および図５に示すように、点呼管理手段２５ｂは、Ｓ１１０の車番入力処理を終了すると、再びＳ１０４に戻って表示部２２に点呼画面２１０を表示する。
【００７０】
点呼管理手段２５ｂは、点呼画面２１０における車番入力ボタン２１１ｂが押されていないとＳ１０９において判断すると、点呼画面２１０における乗務員ＩＤ入力ボタン２１２ｂが押されたか否かを判断する（Ｓ１１１）。
【００７１】
点呼管理手段２５ｂは、乗務員ＩＤ入力ボタン２１２ｂが押されたとＳ１１１において判断すると、表示部２２による点呼画面２１０の表示を終了して、乗務員ＩＤを入力する処理である乗務員ＩＤ入力処理を実行する（Ｓ１１２）。
【００７２】
図１１は、乗務員ＩＤ入力処理のフローチャートである。
【００７３】
図１１に示すように、点呼管理手段２５ｂは、乗務員ＩＤ入力処理を開始すると、図１２に示す乗務員ＩＤ入力画面２３０を表示部２２に表示する（Ｓ１３１）。
【００７４】
図１２は、乗務員ＩＤ入力処理において表示部２２に表示される乗務員ＩＤ入力画面２３０の一例を示す図である。
【００７５】
図１２に示すように、乗務員ＩＤ入力画面２３０には、点呼画面２１０に戻る場合に押される戻るボタン２３１と、生体認証端末３０による生体認証の実行を利用者に促すメッセージ２３２とが含まれている。
【００７６】
メッセージ２３２を読んだ運転者は、生体認証端末３０の生体情報入力部３１に自身の生体情報を入力する。
【００７７】
生体認証端末３０の制御部３４の利用者認証手段３４ａは、生体情報入力部３１に生体情報が入力されると、生体情報入力部３１から入力された生体情報と、記憶部３３に記憶されている利用者認証情報３３ａとに基づいて利用者の認証を実行する。
【００７８】
ここで、利用者認証手段３４ａは、記憶部３３に記憶されている利用者認証情報３３ａに、生体情報入力部３１から入力された生体情報に関連付けられた乗務員ＩＤが存在する場合、認証が成功したと判断して、この乗務員ＩＤを抽出する。そして、制御部３４の認証結果送信手段３４ｂは、利用者認証手段３４ａによって抽出された乗務員ＩＤを、認証の結果として通信部３２を介して共用点呼端末２０に送信する。
【００７９】
一方、利用者認証手段３４ａは、記憶部３３に記憶されている利用者認証情報３３ａに、生体情報入力部３１から入力された生体情報に関連付けられた乗務員ＩＤが存在しない場合、認証が失敗したと判断する。そして、認証結果送信手段３４ｂは、認証が失敗したことを、認証の結果として通信部３２を介して共用点呼端末２０に送信する。
【００８０】
図１１に示すように、共用点呼端末２０の制御部２５の認証結果取得手段２５ａは、Ｓ１３１の処理の後、生体認証端末３０の制御部３４の認証結果送信手段３４ｂから送信されて通信部２３で受信した認証の結果を取得する（Ｓ１３２）。
【００８１】
次いで、点呼管理手段２５ｂは、認証された乗務員ＩＤをＳ１３２において取得したか否かを判断する（Ｓ１３３）。
【００８２】
点呼管理手段２５ｂは、認証された乗務員ＩＤを取得したとＳ１３３において判断すると、Ｓ１３２において取得した乗務員ＩＤを、今回の点呼に関する情報として記憶部２４に仮に記憶させる（Ｓ１３４）。
【００８３】
次いで、点呼管理手段２５ｂは、時間の計測を開始した後（Ｓ１３５）、表示部２２による乗務員ＩＤ入力画面２３０の表示を終了して、図１１に示す乗務員ＩＤ入力処理を終了する。
【００８４】
点呼管理手段２５ｂは、認証された乗務員ＩＤを取得しなかったとＳ１３３において判断すると、表示部２２による乗務員ＩＤ入力画面２３０の表示を終了して、図１１に示す乗務員ＩＤ入力処理を終了する。
【００８５】
なお、点呼管理手段２５ｂは、戻るボタン２３１が押された場合にも、表示部２２による乗務員ＩＤ入力画面２３０の表示を終了して、図１１に示す乗務員ＩＤ入力処理を終了する。
【００８６】
図４および図５に示すように、点呼管理手段２５ｂは、Ｓ１１２の乗務員ＩＤ入力処理を終了すると、再びＳ１０４に戻って表示部２２に点呼画面２１０を表示する。
【００８７】
点呼管理手段２５ｂは、点呼画面２１０における乗務員ＩＤ入力ボタン２１２ｂが押されていないとＳ１１１において判断すると、点呼画面２１０におけるアルコール測定結果入力ボタン２１３ｂが押されたか否かを判断する（Ｓ１１３）。
【００８８】
点呼管理手段２５ｂは、アルコール測定結果入力ボタン２１３ｂが押されたとＳ１１３において判断すると、表示部２２による点呼画面２１０の表示を終了して、アルコール測定結果を入力する処理であるアルコール測定結果入力処理を実行する（Ｓ１１４）。
【００８９】
図１３は、アルコール測定結果入力処理のフローチャートである。
【００９０】
図１３に示すように、点呼管理手段２５ｂは、アルコール測定結果入力処理を開始すると、図１４に示すアルコール測定画面２４０を表示部２２に表示する（Ｓ１４１）。
【００９１】
図１４は、アルコール測定結果入力処理において表示部２２に表示されるアルコール測定画面２４０の一例を示す図である。
【００９２】
図１４に示すように、アルコール測定画面２４０には、アルコール測定を中断して点呼画面２１０に戻る場合に押される測定中断ボタン２４１と、アルコール測定器４０への呼気の吹き込みを利用者に促すメッセージ２４２と、利用者がアルコール測定器４０に呼気を吹き込むべき残り時間を表示する残り時間表示領域２４３とが含まれている。
【００９３】
メッセージ２４２を読んだ運転者は、アルコール測定器４０に自身の呼気を吹き込む。アルコール測定器４０は、呼気が吹き込まれると、呼気が吹き込まれていることを示す情報を共用点呼端末２０に送信する。また、アルコール測定器４０は、呼気中のアルコール濃度を測定すると、測定したアルコール濃度を共用点呼端末２０に送信する。
【００９４】
図１３に示すように、共用点呼端末２０の制御部２５の点呼管理手段２５ｂは、Ｓ１４１の処理の後、アルコール測定器４０に呼気が吹き込まれていると判断するまで、アルコール測定器４０に呼気が吹き込まれているか否かをアルコール測定器４０からの情報に基づいて判断する（Ｓ１４２）。
【００９５】
点呼管理手段２５ｂは、アルコール測定器４０に呼気が吹き込まれているとＳ１４２において判断すると、利用者がアルコール測定器４０に呼気を吹き込むべき残り時間を残り時間表示領域２４３に表示することを開始する（Ｓ１４３）。ここで、点呼管理手段２５ｂは、利用者がアルコール測定器４０に呼気を連続して吹き込んでいる時間を計測し、利用者がアルコール測定器４０に呼気を吹き込むべき時間として予め設定されている時間から、計測した時間を引くことによって、利用者がアルコール測定器４０に呼気を吹き込むべき残り時間を算出することができる。
【００９６】
次いで、点呼管理手段２５ｂは、利用者がアルコール測定器４０に呼気を吹き込むべき残り時間が１秒になったか否かを判断する（Ｓ１４４）。
【００９７】
点呼管理手段２５ｂは、利用者がアルコール測定器４０に呼気を吹き込むべき残り時間が１秒になっていないとＳ１４４において判断すると、アルコール測定器４０に呼気が吹き込まれているか否かをアルコール測定器４０からの情報に基づいて判断する（Ｓ１４５）。
【００９８】
点呼管理手段２５ｂは、アルコール測定器４０に呼気が吹き込まれていないとＳ１４５において判断すると、再びＳ１４２の処理に戻る。
【００９９】
一方、点呼管理手段２５ｂは、アルコール測定器４０に呼気が吹き込まれているとＳ１４５において判断すると、再びＳ１４４の処理に戻る。
【０１００】
点呼管理手段２５ｂは、利用者がアルコール測定器４０に呼気を吹き込むべき残り時間が１秒になったとＳ１４４において判断すると、呼気を吹き込んでいる最中の利用者をＷｅｂカメラ５０に撮影させる（Ｓ１４６）。
【０１０１】
次いで、点呼管理手段２５ｂは、利用者がアルコール測定器４０に呼気を吹き込むべき残り時間が０秒になったか否かを判断する（Ｓ１４７）。
【０１０２】
点呼管理手段２５ｂは、利用者がアルコール測定器４０に呼気を吹き込むべき残り時間が０秒になっていないとＳ１４７において判断すると、アルコール測定器４０に呼気が吹き込まれているか否かをアルコール測定器４０からの情報に基づいて判断する（Ｓ１４８）。
【０１０３】
点呼管理手段２５ｂは、アルコール測定器４０に呼気が吹き込まれていないとＳ１４８において判断すると、再びＳ１４２の処理に戻る。
【０１０４】
一方、点呼管理手段２５ｂは、アルコール測定器４０に呼気が吹き込まれているとＳ１４８において判断すると、再びＳ１４７の処理に戻る。
【０１０５】
点呼管理手段２５ｂは、利用者がアルコール測定器４０に呼気を吹き込むべき残り時間が０秒になったとＳ１４７において判断すると、アルコール測定器４０から送信されて通信部２３で受信したアルコール濃度に基づいて、呼気中のアルコール濃度を決定する（Ｓ１４９）。
【０１０６】
次いで、点呼管理手段２５ｂは、直前のＳ１４６においてＷｅｂカメラ５０によって撮影させた画像と、Ｓ１４９において決定したアルコール濃度とを、今回の点呼に関する情報として記憶部２４に仮に記憶させた後（Ｓ１５０）、表示部２２によるアルコール測定画面２４０の表示を終了して、図１３に示すアルコール測定結果入力処理を終了する。
【０１０７】
なお、点呼管理手段２５ｂは、測定中断ボタン２４１が押された場合にも、表示部２２によるアルコール測定画面２４０の表示を終了して、図１３に示すアルコール測定結果入力処理を終了する。
【０１０８】
図４および図５に示すように、点呼管理手段２５ｂは、Ｓ１１４のアルコール測定結果入力処理を終了すると、再びＳ１０４に戻って表示部２２に点呼画面２１０を表示する。
【０１０９】
点呼管理手段２５ｂは、点呼画面２１０におけるアルコール測定結果入力ボタン２１３ｂが押されていないとＳ１１３において判断すると、点呼画面２１０における運転者の健康状態の入力ボタン、すなわち、睡眠入力ボタン２１４ｂ、体調入力ボタン２１５ｂまたは食事入力ボタン２１６ｂが押されたか否かを判断する（Ｓ１１５）。
【０１１０】
点呼管理手段２５ｂは、運転者の健康状態の入力ボタンが押されたとＳ１１５において判断すると、表示部２２による点呼画面２１０の表示を終了して、運転者の健康状態を入力する処理である運転者健康状態入力処理を実行する（Ｓ１１６）。
【０１１１】
図１５は、運転者健康状態入力処理のフローチャートである。
【０１１２】
図１５に示すように、点呼管理手段２５ｂは、運転者健康状態入力処理を開始すると、運転者の健康状態の入力ボタンのうち押されたボタンに対応する運転者健康状態入力画面２５０を表示部２２に表示する（Ｓ１６１）。例えば、点呼管理手段２５ｂは、睡眠入力ボタン２１４ｂが押された場合、図１６に示す運転者健康状態入力画面２５０を表示部２２に表示する。
【０１１３】
図１６は、運転者健康状態入力処理において表示部２２に表示される運転者健康状態入力画面２５０の一例を示す図である。
【０１１４】
図１６に示すように、運転者健康状態入力画面２５０には、点呼画面２１０に戻る場合に押される戻るボタン２５１と、運転者の健康状態のうち睡眠に関する質問に対する回答の入力を利用者に促すメッセージ２５２と、メッセージ２５２に対して肯定の回答を入力するためのＯＫボタン２５３と、メッセージ２５２に対して否定の回答を入力するためのＮＧボタン２５４とが含まれている。
【０１１５】
メッセージ２５２を読んだ点呼執行者は、運転者に対してメッセージ２５２に基づいた質問を実行し、運転者の回答に基づいて操作部２１を介してＯＫボタン２５３およびＮＧボタン２５４の何れか一方を押す。
【０１１６】
図１５に示すように、共用点呼端末２０の制御部２５の点呼管理手段２５ｂは、ＯＫボタン２５３およびＮＧボタン２５４の何れか一方が押されたと判断するまで、ＯＫボタン２５３およびＮＧボタン２５４の何れか一方が押されたか否かを判断する（Ｓ１６２）。
【０１１７】
点呼管理手段２５ｂは、ＯＫボタン２５３およびＮＧボタン２５４の何れか一方が押されたとＳ１６２において判断すると、操作部２１を操作した利用者をＷｅｂカメラ５０によって撮影させる（Ｓ１６３）。
【０１１８】
次いで、点呼管理手段２５ｂは、Ｓ１６２においてＯＫボタン２５３またはＮＧボタン２５４によって入力された回答と、Ｓ１６３においてＷｅｂカメラ５０によって撮影させた画像とを、今回の点呼に関する情報として記憶部２４に仮に記憶させた後（Ｓ１６４）、表示部２２による運転者健康状態入力画面２５０の表示を終了して、図１５に示す運転者健康状態入力処理を終了する。
【０１１９】
なお、点呼管理手段２５ｂは、戻るボタン２５１が押された場合にも、表示部２２による運転者健康状態入力画面２５０の表示を終了して、図１５に示す運転者健康状態入力処理を終了する。
【０１２０】
図４および図５に示すように、点呼管理手段２５ｂは、Ｓ１１６の運転者健康状態入力処理を終了すると、再びＳ１０４に戻って表示部２２に点呼画面２１０を表示する。
【０１２１】
点呼管理手段２５ｂは、点呼画面２１０における運転者の健康状態の入力ボタンが押されていないとＳ１１５において判断すると、点呼画面２１０における点呼結果確認ボタン２１８が押されたか否かを判断する（Ｓ１１７）。
【０１２２】
点呼管理手段２５ｂは、点呼結果確認ボタン２１８が押されていないとＳ１１７において判断すると、再びＳ１０８の処理に戻る。
【０１２３】
一方、点呼管理手段２５ｂは、点呼結果確認ボタン２１８が押されたとＳ１１７において判断すると、表示部２２による点呼画面２１０の表示を終了して、執行者ＩＤを入力する処理である執行者ＩＤ入力処理を実行する（Ｓ１１８）。
【０１２４】
図１７は、執行者ＩＤ入力処理のフローチャートである。
【０１２５】
図１７に示すように、点呼管理手段２５ｂは、執行者ＩＤ入力処理を開始すると、図１８に示す執行者ＩＤ入力画面２６０を表示部２２に表示する（Ｓ１７１）。
【０１２６】
図１８は、執行者ＩＤ入力処理において表示部２２に表示される執行者ＩＤ入力画面２６０の一例を示す図である。
【０１２７】
図１８に示すように、執行者ＩＤ入力画面２６０には、点呼画面２１０に戻る場合に押される戻るボタン２６１と、生体認証端末３０による生体認証の実行を利用者に促すメッセージ２６２とが含まれている。
【０１２８】
メッセージ２６２を読んだ点呼執行者は、生体認証端末３０の生体情報入力部３１に自身の生体情報を入力する。
【０１２９】
生体認証端末３０の制御部３４の利用者認証手段３４ａは、生体情報入力部３１に生体情報が入力されると、生体情報入力部３１から入力された生体情報と、記憶部３３に記憶されている利用者認証情報３３ａとに基づいて利用者の認証を実行する。
【０１３０】
ここで、利用者認証手段３４ａは、記憶部３３に記憶されている利用者認証情報３３ａに、生体情報入力部３１から入力された生体情報に関連付けられた執行者ＩＤが存在する場合、認証が成功したと判断して、この執行者ＩＤを抽出する。そして、制御部３４の認証結果送信手段３４ｂは、利用者認証手段３４ａによって抽出された執行者ＩＤを、認証の結果として通信部３２を介して共用点呼端末２０に送信する。
【０１３１】
一方、利用者認証手段３４ａは、記憶部３３に記憶されている利用者認証情報３３ａに、生体情報入力部３１から入力された生体情報に関連付けられた執行者ＩＤが存在しない場合、認証が失敗したと判断する。そして、認証結果送信手段３４ｂは、認証が失敗したことを、認証の結果として通信部３２を介して共用点呼端末２０に送信する。
【０１３２】
図１７に示すように、共用点呼端末２０の制御部２５の認証結果取得手段２５ａは、Ｓ１７１の処理の後、生体認証端末３０の制御部３４の認証結果送信手段３４ｂから送信されて通信部２３で受信した認証の結果を取得する（Ｓ１７２）。
【０１３３】
次いで、点呼管理手段２５ｂは、認証された執行者ＩＤをＳ１７２において取得したか否かを判断する（Ｓ１７３）。
【０１３４】
点呼管理手段２５ｂは、認証された執行者ＩＤを取得したとＳ１７３において判断すると、Ｓ１３５において計測を開始した時間が例えば１０分間などの予め設定されている所定の時間以内であるか否かを判断する（Ｓ１７４）。
【０１３５】
点呼管理手段２５ｂは、Ｓ１３５において計測を開始した時間が所定の時間以内であるとＳ１７４において判断すると、Ｓ１７２において取得した執行者ＩＤを、今回の点呼に関する情報として記憶部２４に仮に記憶させた後（Ｓ１７５）、表示部２２による執行者ＩＤ入力画面２６０の表示を終了して、図１７に示す執行者ＩＤ入力処理を終了する。
【０１３６】
点呼管理手段２５ｂは、認証された執行者ＩＤを取得しなかったとＳ１７３において判断するか、Ｓ１３５において計測を開始した時間が所定の時間を超えているとＳ１７４において判断すると、表示部２２による執行者ＩＤ入力画面２６０の表示を終了して、図１７に示す執行者ＩＤ入力処理を終了する。
【０１３７】
なお、点呼管理手段２５ｂは、戻るボタン２６１が押された場合にも、表示部２２による執行者ＩＤ入力画面２６０の表示を終了して、図１７に示す執行者ＩＤ入力処理を終了する。
【０１３８】
図４および図５に示すように、点呼管理手段２５ｂは、Ｓ１１８の執行者ＩＤ入力処理を終了すると、今回の点呼に関する情報として執行者ＩＤが記憶部２４に仮に記憶されているか否かを判断する（Ｓ１１９）。
【０１３９】
点呼管理手段２５ｂは、今回の点呼に関する情報として執行者ＩＤが記憶部２４に仮に記憶されていないとＳ１１９において判断すると、再びＳ１０４に戻って表示部２２に点呼画面２１０を表示する。
【０１４０】
一方、点呼管理手段２５ｂは、今回の点呼に関する情報として執行者ＩＤが記憶部２４に仮に記憶されているとＳ１１９において判断すると、今回の点呼に関する情報として仮に記憶されている「車番」、「乗務員ＩＤ」、「アルコール濃度」、「運転者の健康状態のうち睡眠に関する質問に対する回答」、「運転者の健康状態のうち体調に関する質問に対する回答」、「運転者の健康状態のうち食事に関する質問に対する回答」および「執行者ＩＤ」を、今回の点呼に関する情報として正式に記憶部２４に記憶させて（Ｓ１２０）、再びＳ１０１に戻って表示部２２に初期画面２００を表示する。すなわち、点呼管理手段２５ｂは、今回の点呼を完了させる。
【０１４１】
なお、点呼管理手段２５ｂは、今回の点呼が完了せずに中止された場合、今回の点呼に関する情報として記憶部２４に仮に記憶させていた各種の情報を、記憶部２４から削除する。
【０１４２】
以上に説明したように、点呼システム１０は、点呼執行者および運転者に共通の生体情報入力部３１を利用させるので、従来より低コストで実現されることができる。
【０１４３】
点呼システム１０は、運転者が認証されたという認証の結果が共用点呼端末２０の認証結果取得手段２５ａによって取得された（Ｓ１３３でＹＥＳ）後（Ｓ１０５でＹＥＳ）、点呼執行者が認証されたという認証の結果が認証結果取得手段２５ａによって取得された場合に（Ｓ１７３でＹＥＳ）、点呼執行者による運転者に対する点呼を完了する（Ｓ１２０）。すなわち、点呼システム１０は、点呼執行者による運転者に対する点呼を完了するために、点呼執行者および運転者のそれぞれの認証を必要とする。したがって、点呼システム１０は、運転者による点呼執行者に対する成り済まし、点呼執行者による運転者に対する成り済まし、運転者による別の運転者に対する成り済ましなど、点呼執行者および運転者の少なくとも一方に対する成り済ましによる不正な点呼を防止することができる。
【０１４４】
また、点呼システム１０は、点呼執行者による運転者に対する点呼を完了するために、点呼執行者および運転者のそれぞれの認証を必要とするので、点呼時に点呼執行者および運転者が同一の場所に滞在していたということを、点呼の完了という証拠によって証明することができる。
【０１４５】
ここで、点呼システム１０は、運転者が認証されたという認証の結果が共用点呼端末２０の認証結果取得手段２５ａによって取得される（Ｓ１３３でＹＥＳ）ことと、点呼執行者が認証されたという認証の結果が認証結果取得手段２５ａによって取得される（Ｓ１７３でＹＥＳ）こととが、この順番で（Ｓ１０５でＹＥＳ）点呼における所定の期間内に生じた場合（Ｓ１３５、および、Ｓ１７４でＹＥＳ）にのみ、点呼執行者による運転者に対する点呼を完了する（Ｓ１２０）。すなわち、点呼システム１０は、点呼執行者による運転者に対する点呼を完了するために、運転者の認証と、点呼執行者の認証とが所定の期間内に実行されることを必要とする。したがって、点呼システム１０は、点呼時に点呼執行者および運転者が同一の場所に滞在していたということに対する、点呼の完了という証拠の証明力を向上することができる。
【０１４６】
なお、点呼システム１０は、運転者が認証されたという認証の結果が共用点呼端末２０の認証結果取得手段２５ａによって取得されることと、点呼執行者が認証されたという認証の結果が認証結果取得手段２５ａによって取得されることとが、この順番で点呼における所定の期間内に生じた場合にのみ、点呼執行者による運転者に対する点呼を完了する方法として、本実施の形態に示した方法以外の方法を採用していても良い。例えば、点呼システム１０は、運転者が認証されたという認証の結果が共用点呼端末２０の認証結果取得手段２５ａによって取得された後、所定の時間を超えた場合に、強制的に再びＳ１０１に戻って表示部２２に初期画面２００を表示するようになっていても良い。すなわち、点呼システム１０は、運転者が認証されたという認証の結果が共用点呼端末２０の認証結果取得手段２５ａによって取得された後、所定の時間を超えた場合に、点呼を完了させずに強制的に中止させるようになっていても良い。
【０１４７】
また、運転者が認証されたという認証の結果が共用点呼端末２０の認証結果取得手段２５ａによって取得されることと、点呼執行者が認証されたという認証の結果が認証結果取得手段２５ａによって取得されることとが、この順番で生じるべき所定の期間は、本実施の形態において、運転者が認証されたという認証の結果が共用点呼端末２０の認証結果取得手段２５ａによって取得されてから、所定の時間が経過するまでの期間であるが、これ以外の期間であっても良い。運転者が認証されたという認証の結果が共用点呼端末２０の認証結果取得手段２５ａによって取得されることと、点呼執行者が認証されたという認証の結果が認証結果取得手段２５ａによって取得されることとが、この順番で生じるべき所定の期間は、例えば、点呼開始ボタン２０１が押されてから、所定の時間が経過するまでの期間であっても良い。
【０１４８】
また、点呼システム１０は、運転者が認証されたという認証の結果が認証結果取得手段２５ａによって取得されてから、点呼執行者が認証されたという認証の結果が認証結果取得手段２５ａによって取得されるまでの時間に関係なく、点呼執行者による運転者に対する点呼を完了するようになっていても良い。すなわち、点呼システム１０は、運転者が認証されたという認証の結果が共用点呼端末２０の認証結果取得手段２５ａによって取得された後、点呼執行者が認証されたという認証の結果が認証結果取得手段２５ａによって取得される限り、点呼執行者による運転者に対する点呼を完了するようになっていても良い。
【０１４９】
なお、点呼システム１０は、点呼結果確認ボタン２１８が押されることによって（Ｓ１１７でＹＥＳ）、執行者ＩＤ入力処理を実行するようになっているが、点呼画面２１０内の全ての項目が入力されることによって、点呼結果確認ボタン２１８が押されなくても、自動的に執行者ＩＤ入力処理を実行するようになっていても良い。
【０１５０】
点呼システム１０は、点呼執行者によって入力されるべき情報が共用点呼端末２０の操作部２１から入力された（Ｓ１６２でＹＥＳ）後（Ｓ１０５でＹＥＳ）、点呼執行者が認証されたという認証の結果が共用点呼端末２０の認証結果取得手段２５ａによって取得された場合に（Ｓ１７３でＹＥＳ）、この情報を点呼の結果に含める（Ｓ１２０）。すなわち、点呼システム１０は、点呼に関する情報のうち点呼執行者によって入力されるべき情報を点呼の結果に含めるために、点呼執行者の認証を必要とする。したがって、点呼システム１０は、点呼執行者によって入力されるべき情報を適切な利用者である点呼執行者に入力させることができる。
【０１５１】
ここで、点呼システム１０は、点呼執行者によって入力されるべき情報が共用点呼端末２０の操作部２１から入力された場合に（Ｓ１６２でＹＥＳ）、Ｗｅｂカメラ５０によって撮影された利用者の画像を点呼の結果に含める（Ｓ１６３およびＳ１６４）。すなわち、点呼システム１０は、点呼に関する情報のうち点呼執行者によって入力されるべき情報を入力した利用者の画像を証拠として点呼の結果に含める。したがって、点呼システム１０は、点呼執行者に対する成り済ましによる情報の不正な入力を防止することができる。その結果、点呼システム１０は、点呼執行者によって入力されるべき情報を適切な利用者である点呼執行者に入力させることの確実性を向上することができる。
【０１５２】
なお、点呼システム１０は、運転者によって入力されるべき情報についても、点呼執行者によって入力されるべき情報と同様に処理するようになっていても良い。すなわち、点呼システム１０は、点呼に関する情報のうち運転者によって入力されるべき情報を点呼の結果に含めるために、運転者の認証を必要としても良い。
【０１５３】
点呼システム１０は、運転者によって入力されるべき情報であるアルコール濃度がアルコール測定器４０から入力された場合に（Ｓ１４３）、Ｗｅｂカメラ５０によって撮影された利用者の画像を点呼の結果に含める（Ｓ１４６およびＳ１５０）。すなわち、点呼システム１０は、点呼に関する情報のうち運転者によって入力されるべき情報を入力した利用者の画像を証拠として点呼の結果に含める。したがって、点呼システム１０は、運転者に対する成り済ましによる情報の不正な入力を防止することができる。
【０１５４】
なお、点呼システム１０は、点呼が完了せずに中止された場合であっても、点呼に関する情報のうち点呼執行者および運転者の特定の一方によって入力されるべき情報を入力した利用者の画像を記憶部２４から削除しないようになっていれば、不正を行おうとした者の特定を可能とすることができる。
【０１５５】
点呼システム１０は、点呼執行者によって入力されるべき情報が共用点呼端末２０の操作部２１から入力された場合に点呼の結果に含める利用者の画像、および、運転者によって入力されるべき情報であるアルコール濃度がアルコール測定器４０から入力された場合に点呼の結果に含める利用者の画像として、静止画が採用されている。しかしながら、点呼システム１０は、点呼執行者または運転者によって入力されるべき情報が入力された場合に点呼の結果に含める利用者の画像として、動画が採用されても良い。点呼システム１０は、動画が採用される場合、例えば、点呼開始ボタン２０１が押されたとＳ１０２において判断した時点で撮影を開始し、中断ボタン２１７が押されたとＳ１０８において判断した時点か、Ｓ１２０を実行した時点で撮影を終了するようになっていても良い。
【０１５６】
点呼システム１０は、Ｓ１１０の車番入力処理と、Ｓ１１２の乗務員ＩＤ入力処理と、Ｓ１１４のアルコール測定結果入力処理と、Ｓ１１６の運転者健康状態入力処理とについて実行の順番が規定されていない。したがって、点呼システム１０は、例えば、点呼執行者および運転者の一方が点呼システム１０の近傍に未だ居ない場合であっても、他方が点呼を開始して入力可能な項目を先に入力しておくことができ、結果として、点呼に必要な時間を短縮することができる。
【０１５７】
なお、点呼システム１０は、本実施の形態において、生体認証端末３０によって行われた利用者の認証の結果が生体認証端末３０から共用点呼端末２０に送信されるようになっている。しかしながら、点呼システム１０は、利用者認証情報３３ａと同様の利用者認証情報と、利用者認証手段３４ａと同様の利用者認証手段とを共用点呼端末２０が備えていて、生体認証端末３０に入力された生体情報に基づいて共用点呼端末２０の利用者認証手段によって利用者の認証を実行するようになっていても良い。すなわち、共用点呼端末２０の制御部２５の認証結果取得手段２５ａは、共用点呼端末２０自身の利用者認証手段によって行われた利用者の認証の結果を取得するようになっていても良い。
【０１５８】
また、点呼システム１０は、本実施の形態において、生体認証端末３０の生体情報入力部３１を認証情報入力装置としている。しかしながら、点呼システム１０は、生体認証端末の生体情報入力部以外の認証情報入力装置を備えていても良い。例えば、点呼システム１０は、利用者の認証のための情報として電子的な情報がＩＣ（Ｉｎｔｅｇｒａｔｅｄ  Ｃｉｒｃｕｉｔ）カードから入力されるＩＣカードリーダーを認証情報入力装置として備えていても良いし、利用者の認証のための情報として利用者のＩＤおよびパスワードが入力されるキーボードを認証情報入力装置として備えていても良い。点呼システム１０は、生体認証端末の生体情報入力部以外の認証情報入力装置を備えている場合も、生体認証端末の生体情報入力部を備えている場合と同様に、認証情報入力装置に入力された情報に基づいて共用点呼端末２０の利用者認証手段によって利用者の認証を実行するようになっていても良いし、認証情報入力装置に入力された情報に基づいて認証情報入力装置自身で利用者の認証を実行し、認証情報入力装置によって行われた利用者の認証の結果が認証情報入力装置から共用点呼端末２０に送信されるようになっていても良い。
【０１５９】
なお、点呼システム１０は、本実施の形態において、図１３に示すように、アルコール測定器４０によって測定されたアルコール濃度が自動的に共用点呼端末２０に入力されるようになっている。しかしながら、点呼システム１０は、例えば、図１９に示すように、アルコール測定器４０によって測定されたアルコール濃度が利用者の手動で共用点呼端末２０に入力されるようになっていても良い。
【０１６０】
図１９は、図１３に示す例とは異なる例におけるアルコール測定結果入力処理のフローチャートである。
【０１６１】
図１９に示すように、点呼管理手段２５ｂは、アルコール測定結果入力処理を開始すると、図２０に示すアルコール測定結果入力画面２７０を表示部２２に表示する（Ｓ１８１）。
【０１６２】
図２０は、アルコール測定結果入力処理において表示部２２に表示されるアルコール測定結果入力画面２７０の一例を示す図である。
【０１６３】
図２０に示すように、アルコール測定結果入力画面２７０には、点呼画面２１０に戻る場合に押される戻るボタン２７１と、アルコール測定の結果の入力を利用者に促すメッセージ２７２と、入力されたアルコール濃度を表示する入力情報表示領域２７３と、アルコール測定の結果としてアルコール濃度を入力するためのソフトウェアキーボード２７４と、入力情報表示領域２７３に表示されているアルコール濃度が削除される場合に押されるクリアボタン２７５と、入力情報表示領域２７３に表示されているアルコール濃度が決定される場合に押される決定ボタン２７６とが含まれている。
【０１６４】
メッセージ２７２を読んだ利用者は、アルコール測定器４０によって測定されたアルコール濃度を操作部２１を介してソフトウェアキーボード２７４から入力し、入力したアルコール濃度を操作部２１を介して決定ボタン２７６によって決定する。
【０１６５】
図１９に示すように、共用点呼端末２０の制御部２５の点呼管理手段２５ｂは、Ｓ１８１の処理の後、決定ボタン２７６が押されるまで、決定ボタン２７６が押されたか否かを判断する（Ｓ１８２）。
【０１６６】
点呼管理手段２５ｂは、決定ボタン２７６が押されたとＳ１８２において判断すると、操作部２１を操作した利用者をＷｅｂカメラ５０に撮影させる（Ｓ１８３）。
【０１６７】
次いで、点呼管理手段２５ｂは、Ｓ１８２において決定されたアルコール濃度と、Ｓ１８３においてＷｅｂカメラ５０によって撮影させた画像とを、今回の点呼に関する情報として記憶部２４に仮に記憶させた後（Ｓ１８４）、表示部２２によるアルコール測定結果入力画面２７０の表示を終了して、図１９に示すアルコール測定結果入力処理を終了する。
【０１６８】
なお、点呼管理手段２５ｂは、戻るボタン２７１が押された場合にも、表示部２２によるアルコール測定結果入力画面２７０の表示を終了して、図１９に示すアルコール測定結果入力処理を終了する。
【０１６９】
点呼管理手段２５ｂが図１９に示すアルコール測定結果入力処理を実行する場合、「アルコール測定結果」は、運転者によって入力されるべき項目になっていても良いし、点呼執行者によって入力されるべき項目になっていても良い。
【０１７０】
なお、点呼システム１０は、本実施の形態において示した構成以外の構成であっても良い。
【０１７１】
例えば、点呼システム１０は、生体認証端末３０、アルコール測定器４０およびＷｅｂカメラ５０を備えていなくても、利用者の認証のための情報として利用者のＩＤおよびパスワードが入力される認証情報入力装置として操作部２１が利用されることによって、本発明の点呼システムとして成立することも可能である。すなわち、本発明の点呼システムは、共用点呼端末２０のみで実現されることも可能である。
【０１７２】
また、点呼システム１０は、本実施の形態において生体認証端末３０、アルコール測定器４０およびＷｅｂカメラ５０が共用点呼端末２０に外付けされているが、生体認証端末３０、アルコール測定器４０およびＷｅｂカメラ５０の少なくとも１つが共用点呼端末２０に内蔵されていても良い。
【０１７３】
また、点呼システム１０は、利用者の認証として顔認証が利用される場合、利用者の認証のための情報として顔画像が入力される認証情報入力装置としてＷｅｂカメラ５０が利用されることが可能であるので、生体認証端末３０を備えていなくても良い。
【０１７４】
また、点呼システム１０は、本実施の形態において全ての構成が同一の営業所に設置されているが、認証結果取得手段２５ａ、点呼管理手段２５ｂなどのソフトウェア部分の少なくとも一部が、この営業所以外の場所、例えば、インターネット上に存在していても良い。
【符号の説明】
【０１７５】
１０  点呼システム
２０  共用点呼端末（コンピューター）
２１  操作部（点呼情報入力装置）
２４ａ  点呼用プログラム
２５ａ  認証結果取得手段
２５ｂ  点呼管理手段
３１  生体情報入力部（認証情報入力装置）
４０  アルコール測定器（点呼情報入力装置）
５０  Ｗｅｂカメラ（情報入力者撮影装置）
【図１】
2014006675.tif 000003
【図２】
2014006675.tif 000004
【図３】
2014006675.tif 000005
【図４】
2014006675.tif 000006
【図５】
2014006675.tif 000007
【図６】
2014006675.tif 000008
【図７】
2014006675.tif 000009
【図８】
2014006675.tif 000010
【図９】
2014006675.tif 000011
【図１０】
2014006675.tif 000012
【図１１】
2014006675.tif 000013
【図１２】
2014006675.tif 000014
【図１３】
2014006675.tif 000015
【図１４】
2014006675.tif 000016
【図１５】
2014006675.tif 000017
【図１６】
2014006675.tif 000018
【図１７】
2014006675.tif 000019
【図１８】
2014006675.tif 000020
【図１９】
2014006675.tif 000021
【図２０】
2014006675.tif 000022
【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
点呼を行う点呼執行者と、前記点呼の対象である被点呼者とを利用者として含んでいる点呼システムであって、
前記利用者の認証のための情報が入力される認証情報入力装置と、前記点呼に関する情報が入力される点呼情報入力装置と、前記認証情報入力装置から入力された情報に基づいた前記利用者の認証の結果を取得する認証結果取得手段と、前記点呼の実行を管理する点呼管理手段とを備えており、
前記点呼管理手段は、前記被点呼者が認証されたという認証の結果が前記認証結果取得手段によって取得された後、および、前記被点呼者によって入力されるべき情報が前記点呼情報入力装置から入力された後、前記点呼執行者が認証されたという認証の結果が前記認証結果取得手段によって取得された場合に、前記点呼執行者による前記被点呼者に対する前記点呼を完了することを特徴とする点呼システム。
【請求項２】
前記点呼管理手段は、前記点呼執行者および前記被点呼者の特定の一方によって入力されるべき情報が前記点呼情報入力装置から入力された後、前記特定の一方が認証されたという認証の結果が前記認証結果取得手段によって取得された場合に、この情報を前記点呼の結果に含めることを特徴とする請求項１に記載の点呼システム。
【請求項３】
前記点呼情報入力装置に情報を入力している前記利用者を撮影する情報入力者撮影装置を備えており、
前記点呼管理手段は、前記点呼執行者および前記被点呼者の特定の一方によって入力されるべき情報が前記点呼情報入力装置から入力された場合に、前記情報入力者撮影装置によって撮影された前記利用者の画像を前記点呼の結果に含めることを特徴とする請求項１または請求項２に記載の点呼システム。
【請求項４】
前記点呼管理手段は、前記被点呼者が認証されたという認証の結果が前記認証結果取得手段によって取得されることと、前記点呼執行者が認証されたという認証の結果が前記認証結果取得手段によって取得されることとが、この順番で前記点呼における所定の期間内に生じた場合にのみ、前記点呼執行者による前記被点呼者に対する前記点呼を完了することを特徴とする請求項１から請求項３までの何れかに記載の点呼システム。
【請求項５】
請求項１から請求項４までの何れかに記載の点呼システムの前記認証結果取得手段および前記点呼管理手段としてコンピューターを機能させることを特徴とする点呼用プログラム。